(57)【要約】【課題】  テレビ信号受信用アンテナが電源を必要とするアンテナであっても、アンテナの方向調整を行えるようにする。【解決手段】  切換スイッチＳＷを一の側へ切り換え可動接点ａ１を固定接点ｃ１に、可動接点ａ２を固定接点ｃ２に接続すると、内蔵する電池１２からの電源が内部回路へ供給されると共に、切換表示器１４に供給されてその切換スイッチＳＷの状態が表示される。他の側へ切り換え可動接点ａ１を固定接点ｂ１に、可動接点ａ２を固定接点ｂ２に接続すると、出力端子ＯＵＴから受け取った電源を内部回路に供給されると共に入力端子ＩＮから出力されることにより入力端子ＩＮに接続されたアンテナへ電源が供給される。また、切換表示器１４にも電源が供給されてその切換スイッチＳＷの状態が表示される。【選択図】  図１
2008278285.tif 000002
【特許請求の範囲】
【請求項１】
電源供給を必要とする第１のアンテナあるいは電源供給を必要としない第２のアンテナのいずれかのアンテナにより受信された受信信号が入力され、当該受信信号のレベルを表示する信号レベル表示器であって、
前記受信信号が入力される入力端子と、
前記第１のアンテナが必要とする電源を受け取ると共に、前記第１のアンテナにより受信された受信信号を出力することのできる出力端子と、
一の側へ切り換えた際に、前記出力端子からの電源を遮断すると共に内蔵する電源手段からの電源を内部回路へ供給し、さらに、前記入力端子から入力された前記第２のアンテナにより受信された受信信号を第１の増幅手段により増幅して出力し、他の側へ切り換えた際に、内蔵する前記電源手段からの電源を遮断して前記出力端子から受け取った電源を前記内部回路に供給すると共に前記入力端子から出力することで前記第１のアンテナへ電源を供給し、さらに、前記入力端子から入力された前記第１のアンテナにより受信された受信信号を前記出力端子から出力すると共に、その分岐出力を出力する切換手段と、
該切換手段からの出力を検波する検波手段と、
該検波手段から出力される検波信号と、それぞれ異なる基準電圧とを比較する複数の比較手段と、
該複数の比較手段からの複数の比較出力に対応して各々点灯制御される複数の発光手段を有し、前記入力端子に入力された前記受信信号のレベルを前記発光手段の点灯状態により表示するレベル表示手段と、
を備えていることを特徴とする信号レベル表示器。
【請求項２】
前記切換手段が一の側へ切り換えられた際に、前記内蔵する電源手段からの電源により第１の点灯状態で点灯されると共に、他の側へ切り換えられた際に、前記出力端子から受け取った電源により第２の点灯状態で点灯される切換表示手段を、さらに備えていることを特徴とする請求項１記載の信号レベル表示器。
【発明の詳細な説明】
【技術分野】
【０００１】
本発明は、地上ディジタル放送や衛星放送の受信用アンテナを設置する際、アンテナの方向を最良の方向へ設置するための信号レベル表示器に関する。
【背景技術】
【０００２】
一般家庭においてテレビ放送受信用のアンテナを設置し、その方向を調整する場合、従来の地上アナログ放送では、テレビ画面を観察しながらアンテナの方向を変えていきゴースト障害等が最善になる方向に設置している。アンテナの設置は、家の新築時やアンテナ交換時等に行われるが、設置場所が屋根等の高所とされると共に、専門的な知識が必要とされるため、ほとんどが専門の業者へ依頼してアンテナを設置するようにしている。
【発明の開示】
【発明が解決しようとする課題】
【０００３】
現在、地上デジタル放送が全国で始まっており、ベランダなどへ簡単に取り付けられる地上デジタル放送専用のアンテナが発売されている。このように簡単に取り付けられるアンテナは、専門業者に依頼することなく、アンテナ設置経験のない者が設置することができる。地上デジタル放送用のアンテナを設置する場合、現在の地上デジタル放送用テレビ受信機では、一般に、テレビ設置時に自動でチャンネルスキャンを行って受信可能なチャンネルの設定をするテレビ受信機とされている。このため、チャンネルスキャンの後に、アンテナレベル表示のメニュー画面を表示させることにより、テレビ受信信号が最大レベルになるようにアンテナを方向調整することになる。当然のことながら、チャンネルスキャン時にはアンテナがテレビに接続されていることが必要条件とされ、アンテナの方向調整は、テレビ受信機の画面を見ながら行うようになる。
【０００４】
また、地上デジタル放送用テレビ受信機のほとんどが衛星放送用チューナを搭載している。このため、衛星放送用アンテナを新たに設置して衛星放送を受信することも行われている。この場合においても、衛星放送用アンテナを設置・方向調整する場合、テレビ画面でレベル確認を行いながら設置方向を決めることになる。また、アンテナの方向調整を行うのは設置時に限らず台風の時や何らかの原因でアンテナの方向がずれる場合には、再度方向調整が必要になる。なお、テレビ画面を確認できないアンテナ設置場所においてはアンテナを設置した場所とテレビ受信機を設置した場所に一人ずつ作業員が必要であり、互いに連絡しあうことによりアンテナの方向調整を行うようにしている。
このように、地上デジタル放送用アンテナと衛星放送用アンテナのいずれであってもテレビ画面を確認できないアンテナ設置場所においては１人でアンテナの方向調整を行うことが困難になっていた。
【０００５】
これを解決するために、アンテナ設置場所においてアンテナから導出したケーブルを接続することにより、表示されたアンテナの受信信号レベルを観察しながらアンテナの方向調整を行うことができるレベルメータが提案されている。このレベルメータを使用することにより、アンテナ設置場所においてアンテナの受信信号レベルを知ることができるため、１人でもアンテナの方向調整を行うことができる。しかし、地上デジタル放送用アンテナはアンテナに供給する電源が不要であるが、衛星放送用アンテナではアンテナに内蔵されているコンバータに供給する電源が必要とされている。この電源は、一般にテレビ受信機に内蔵されている衛星放送用チューナから受信信号伝送用のケーブルを介して衛星放送用アンテナに供給される。従って、衛星放送用アンテナにレベルメータを接続するだけでは衛星放送用アンテナが動作していないことから、衛星放送用アンテナの方向調整を行うことができないという問題点があった。
【０００６】
そこで、本発明はテレビ信号受信用アンテナが電源を必要とするアンテナであっても、アンテナの方向調整を行うことができる信号レベル表示器を提供することを目的としている。
【課題を解決するための手段】
【０００７】
上記目的を達成するために、本発明の信号レベル表示器は、一の側へ切り換えた際に、出力端子からの電源を遮断すると共に内蔵する電源手段からの電源を内部回路へ供給し、他の側へ切り換えた際に、内蔵する電源手段からの電源を遮断して出力端子から受け取った電源を内部回路に供給すると共に入力端子から出力することで第１のアンテナへ電源を供給する切換手段を備えていることを最も主要な特徴としている。
【発明の効果】
【０００８】
本発明は、一の側へ切り換えた際に、出力端子からの電源を遮断すると共に内蔵する電源手段からの電源を内部回路へ供給し、他の側へ切り換えた際に、内蔵する電源手段からの電源を遮断して出力端子から受け取った電源を内部回路に供給すると共に入力端子から出力することで第１のアンテナへ電源を供給する切換手段を備えていることから、電源が不要なアンテナの方向調整を行う場合は一の側へ切り換えることで方向調整を行うことができ、電源が必要なアンテナの方向調整を行う場合は他の側へ切り換えることで、電源を必要とするアンテナに電源を供給することができ、その方向調整を行うことができるようになる。
【発明を実施するための最良の形態】
【０００９】
本発明の実施例の信号レベル表示器の構成を示す回路図を図１に示す。
図１に示す信号レベル表示器１は、屋根やベランダに設置される地上ディジタル放送受信用のＵＨＦアンテナあるいは衛星放送受信用のＢＳアンテナが同軸ケーブルを介して入力端子ＩＮに接続される。入力端子ＩＮは切換スイッチＳＷの第１回路の可動接点ａ１に接続されており、第２回路の可動接点ａ２は結合コンデンサＣ６およびゲイン調整器ＧＣを介して第２アンプ（ＡＭＰ２）の入力側に接続されている。また、切換スイッチＳＷにおける第１回路の第１固定接点ｂ１は分岐回路１０の入力側のｄ端子に接続されると共に、分岐回路１０の出力側のｆ端子は出力端子ＯＵＴに接続され、分岐した信号が出力されるｅ端子は直流カット用のコンデンサＣ２を介して切換スイッチＳＷにおける第２回路の第１固定接点ｂ２に接続されている。さらに、切換スイッチＳＷにおける第１回路の第２固定接点ｃ１は地上デジタル放送の周波数帯域を通過させるバンドパスフィルタ（ＢＰＦ）１１に接続され、ＢＰＦ１１の出力側は第１アンプ（ＡＭＰ１）の入力側へ接続されている。ＡＭＰ１の出力側は直流カット用のコンデンサＣ４を介して切換スイッチＳＷの第２回路の第１固定接点ｃ２に接続されている。
【００１０】
ＡＭＰ２の出力側は検波回路１３に接続され、検波回路１３の出力側は並列接続された比較回路１５ａ，１５ｂ，１５ｃ，１５ｄ，１５ｅの一方の入力側へ接続されている。比較回路１５ａ〜１５ｅの他方の入力側へはそれぞれ異なる基準電圧を発生させる直列接続された抵抗Ｒ１，Ｒ２，Ｒ３，Ｒ４，Ｒ５，Ｒ６の各接続点がそれぞれ接続されている。比較回路１５ａ〜１５ｅの出力側は表示器１６ａ，１６ｂ，１６ｃ，１６ｄ，１６ｅに接続されている。
また、切換スイッチＳＷの切換状態を表示する切換表示器１４のｇ端子は高周波信号を阻止するチョークコイルＬ１を介して切換スイッチＳＷにおける第１回路の可動接点ａ１に接続されており、切換表示器１４のｈ端子は高周波信号を阻止するチョークコイルＬ３を介して切換スイッチＳＷにおける第２回路の可動接点ａ２に接続されている。この切換表示器１４には並列に逆流防止用のダイオードＤが接続されている。さらに、信号レベル表示器１は電池１２を内蔵しており、電池１２は一端がアースされたバイパスコンデンサＣ３と高周波信号を阻止するチョークコイルＬ２との接続点に接続されており、チョークコイルＬ２の他端は切換スイッチＳＷにおける第２回路の第２固定接点ｃ２に接続されている。なお、チョークコイルＬ１，Ｌ３の切換表示器１４側にはそれぞれ一端がアースされているバイパスコンデンサＣ１，Ｃ５の他端が接続されている。
【００１１】
次に、図１に示す信号レベル表示器１にアンテナを接続した際の動作を説明する。入力端子ＩＮにＵＨＦアンテナを接続した場合は、切換スイッチＳＷを図示する状態に切り換える。すなわち、第１回路の可動接点ａ１は第２固定接点ｃ１に接続され、第２回路の可動接点ａ２は第２固定接点ｃ２に接続される。すると、内蔵する電池１２からチョークコイルＬ２−第２固定接点ｃ２−可動接点ａ２−チョークコイルＬ３の経路を介して切換表示器１４のｈ端子に電源が供給されると共に、この電源はＡＭＰ１，ＡＭＰ２，抵抗Ｒ１〜Ｒ６からなる基準電圧発生部，比較回路１５ａ〜１５ｅ，表示器１６ａ〜１６ｅに給電されて、信号レベル表示器１は動作状態となる。この場合、切換表示器１４のｈ端子に電源が供給されてｇ端子には電源が供給されないことから、切換表示器１４はＵＨＦアンテナ入力へ切り換えられたことを示す表示を行う。
【００１２】
そして、入力端子ＩＮに入力されたＵＨＦアンテナの受信信号は切換スイッチＳＷにおける第１回路の可動接点ａ１と第２固定接点ｃ１を介してＢＰＦ１１に入力され、ＵＨＦの周波数帯域に制限されたＵＨＦ受信信号がＡＭＰ１で増幅される。ＡＭＰ１からの出力はコンデンサＣ４を介し、切換スイッチＳＷの第２固定接点ｃ２−可動接点ａ２−コンデンサＣ６の経路によりゲイン調整器ＧＣに入力され、所定のレベルにゲイン調整されてＡＭＰ２に入力される。ＡＭＰ２により増幅された受信信号は検波回路１３により検波されて受信信号のレベルに応じた直流の検波信号が得られる。この検波信号は並列接続されてそれぞれ基準電圧Ｖｒｅｆ１〜Ｖｒｅｆ５が印加されている比較回路１５ａ〜１５ｅに入力されて、検波信号のレベル以下の基準電圧Ｖｒｅｆが印加されている比較回路１５の出力が有意の出力となり、後続する表示器１６が点灯するようになる。なお、基準電圧ＶｒｅｆはＶｒｅｆ１＞Ｖｒｅｆ２＞Ｖｒｅｆ３＞Ｖｒｅｆ４＞Ｖｒｅｆ５の関係とされている。
【００１３】
例えば、検波信号の電位Ｖｄｅｔ＞Ｖｒｅｆ４となった場合は、比較回路１５ｂ〜１５ｅの出力が有意となって表示器１６ｂ〜１６ｅが点灯するようになり、表示器１６ａ〜１６ｅの点灯状態により入力端子ＩＮに入力されたＵＨＦアンテナの受信信号レベルが表示されるようになる。そこで、信号レベル表示器１における表示器１６ａ〜１６ｅの点灯状態を観察しながらＵＨＦアンテナの方向を変更していき、最も多くの表示器１６ａ〜１６ｅが点灯する方向を確認する。確認した方向がＵＨＦアンテナの最良の方向となるから、その方向においてＵＨＦアンテナを固定することで、ＵＨＦアンテナの方向調整を行うことができる。
【００１４】
次に、図１に示す信号レベル表示器１の入力端子ＩＮに衛星放送用アンテナを接続した場合は、切換スイッチＳＷを図示する状態と反対側に切り換える。すなわち、第１回路の可動接点ａ１は第１固定接点ｂ１に接続され、第２回路の可動接点ａ２は第１固定接点ｂ２に接続される。さらに、出力端子ＯＵＴに衛星放送受信用チューナあるいは衛星放送が受信可能なテレビ受信機から導出された同軸ケーブルを接続する。すると、衛星放送受信用チューナあるいは衛星放送が受信可能なテレビ受信機から出力端子ＯＵＴに直流電源が供給されるようになり、この直流電源は分岐回路１０のｆ端子とｄ端子を介して切換スイッチＳＷにおける第１回路の第１固定接点ｂ１−可動接点ａ１の経路を介して入力端子ＩＮから出力される。入力端子ＩＮから出力された直流電源は、衛星放送用アンテナに供給されて衛星放送用アンテナが動作状態になる。
また、可動接点ａ１から出力される直流電源はチョークコイルＬ１−ダイオードＤを介してＡＭＰ１，ＡＭＰ２，抵抗Ｒ１〜Ｒ６からなる基準電圧発生部，比較回路１５ａ〜１５ｅ，表示器１６ａ〜１６ｅに給電されて、信号レベル表示器１は動作状態となる。さらに、内蔵する電池１２は切換スイッチＳＷが切り換えられたことで遮断され、この場合、切換表示器１４のｇ端子に直流電源が供給されることから、切換表示器１４は衛星放送用アンテナ入力へ切り換えられたことを示す表示を行う。
【００１５】
そして、入力端子ＩＮに入力された動作状態とされた衛星放送用アンテナの受信信号は切換スイッチＳＷにおける第１回路の可動接点ａ１と第１固定接点ｂ１を介して分岐回路１０のｄ端子に入力され、分岐回路１０のｅ端子から出力された分岐出力がコンデンサＣ２を介し切換スイッチＳＷの第１固定接点ｂ２−可動接点ａ２−コンデンサＣ６の経路によりゲイン調整器ＧＣに入力され、所定のレベルにゲイン調整されてＡＭＰ２に入力される。ＡＭＰ２により増幅された受信信号は検波回路１３により検波されて受信信号のレベルに応じた直流の検波信号が得られる。この検波信号は並列接続されてそれぞれ基準電圧Ｖｒｅｆ１〜Ｖｒｅｆ５が印加されている比較回路１５ａ〜１５ｅに入力されて、検波信号のレベル以下の基準電圧Ｖｒｅｆが印加されている比較回路１５の出力が有意の出力となり、後続する表示器１６が点灯するようになる。なお、基準電圧ＶｒｅｆはＶｒｅｆ１＞Ｖｒｅｆ２＞Ｖｒｅｆ３＞Ｖｒｅｆ４＞Ｖｒｅｆ５の関係とされている。
【００１６】
例えば、検波信号の電位Ｖｄｅｔ＞Ｖｒｅｆ３となった場合は、比較回路１５ｃ〜１５ｅの出力が有意となって表示器１６ｃ〜１６ｅが点灯するようになり、表示器１６ａ〜１６ｅの点灯状態により入力端子ＩＮに入力された衛星放送用アンテナの受信信号レベルが表示されるようになる。そこで、信号レベル表示器１における表示器１６ａ〜１６ｅの点灯状態を観察しながら衛星放送用アンテナの方向を変更していき、最も多くの表示器１６ａ〜１６ｅが点灯する方向を確認する。確認した方向が衛星放送用アンテナの最良の方向となるから、その方向において衛星放送用アンテナを固定することで、衛星放送用アンテナの方向調整を行うことができる。なお、分岐回路１０のｆ端子からの出力は出力端子ＯＵＴから出力されて衛星放送受信用チューナあるいは衛星放送が受信可能なテレビ受信機へ供給される。
このように、信号レベル表示器１の入力端子ＩＮに接続したアンテナに応じて切換スイッチＳＷを切り換えることにより、電源が不要のアンテナでも電源が必要なアンテナであっても表示されたレベルを観察することにより方向調整を行うことができるようになる。
【００１７】
次に、切換表示器１４の構成を示す回路図の例を図２に示す。
図２に示す切換表示器１４において、ｇ端子は抵抗Ｒ１０の一端に接続され、抵抗Ｒ１０の他端は第１発光ダイオードＬＥＤ１０のアノードに接続され、第１発光ダイオードＬＥＤ１０のカソードはアースされている。抵抗Ｒ１０と第１発光ダイオードＬＥＤ１０との接続点は抵抗Ｒ１１を介して第１トランジスタＴｒ１のベースに接続されている。第１トランジスタＴｒ１のエミッタはアースされ、そのコレクタは抵抗Ｒ１２を介してｈ端子に接続されていると共に第２トランジスタＴｒ２のベースに接続されている。第２トランジスタＴｒ２のエミッタはアースされ、コレクタは第２発光ダイオードＬＥＤ１１のカソードに接続されている。第２発光ダイオードＬＥＤ１１のアノードは抵抗Ｒ１３を介してｈ端子に接続されている。
【００１８】
このように構成された切換表示器１４においてｈ端子のみに直流電源が供給されると、この直流電源により抵抗Ｒ１２を介して第２トランジスタＴｒ２のベースにバイアス電圧が供給されることから第２トランジスタＴｒ２はオンする。これにより、第２トランジスタＴｒ２のコレクタ−エミッタ間が導通して抵抗Ｒ１３と第２発光ダイオードＬＥＤ１１に直流電源から電流が流れて第２発光ダイオードＬＥＤ１１は点灯するようになる。しかし、ｇ端子には直流電源が供給されないため、第１発光ダイオードＬＥＤ１０は消灯されると共に、第１トランジスタＴｒ１はオフの状態を維持する。
【００１９】
また、切換表示器１４においてｇ端子に直流電源が供給されると、この直流電源は抵抗Ｒ１０と第１発光ダイオードＬＥＤ１０との直列回路に供給されて、第１発光ダイオードＬＥＤ１０は発光するようになる。さらに、直流電源は抵抗Ｒ１１を介して第１トランジスタＴｒ１のベースに供給されることから第１トランジスタＴｒ１はオンする。これにより、第１トランジスタＴｒ１のコレクタ−エミッタ間が導通して、第２トランジスタＴｒ２のベースがアースされるので、第２トランジスタＴｒ２はオフするようになる。従って、ｈ端子に直流電源が供給されていても第２発光ダイオードＬＥＤ１１には電流が流れず、第２発光ダイオードＬＥＤ１１は消灯するようになる。
このように、ｈ端子のみに直流電源が供給された場合は第２発光ダイオードＬＥＤ１１のみが点灯して切換スイッチＳＷがＵＨＦアンテナ入力に切り換えられたことが表示され、ｇ端子に直流電源が供給された場合は第１発光ダイオードＬＥＤ１０のみが点灯して切換スイッチＳＷが衛星放送用アンテナ入力に切り換えられたことが表示される。
【００２０】
次に、分岐回路１０の構成を示す回路図の一例を図３に示す。
図３に示す分岐回路１０におけるｄ端子はｆ端子に直接接続されており、ｄ端子とｆ端子を接続するラインとｅ端子との間に抵抗Ｒ１４と抵抗Ｒ１５とが直列接続されている。そして、抵抗Ｒ１４と抵抗Ｒ１５との接続点とアースとの間には抵抗Ｒ１６と直流カット用のコンデンサＣ１０とが直列接続されている。抵抗Ｒ１４〜Ｒ１６は分岐用の抵抗であり、分岐用の抵抗Ｒ１４〜Ｒ１６により所定の比率で分岐された分岐信号がｅ端子から出力される。ｄ端子から入力された受信信号は一部分岐されて残りがｆ端子から出力され、ｆ端子に供給された直流電源はｄ端子から出力される。
【００２１】
次に、分岐回路１０の構成を示す他の例の回路図を図３に示す。
図３に示す分岐回路１０’において、ｄ端子とｆ端子間に第１トランスＴ１１の一次コイルＰａが接続されており、ｆ端子には第２トランスＴ１２の一次コイルＰｂと一端がアースされた直流カット用のコンデンサＣ１１とが直列接続されている。ｅ端子には、第１トランスＴ１１の二次コイルＳａと一端がアースされた直流カット用のコンデンサＣ１１とが直列接続されていると共に、第２トランスＴ１２の二次コイルＳｂと抵抗Ｒ１７と一端がアースされたコンデンサＣ１２とが直列接続されている。第１トランスＴ１１および第２トランスＴ１２と、抵抗Ｒ１７とコンデンサＣ１２とにより所定の比率で分岐された分岐信号がｅ端子から出力される。ｄ端子から入力された受信信号は一部分岐されて残りがｆ端子から出力され、ｆ端子に供給された直流電源は第１トランスＴ１１を介してｄ端子から出力される。
【００２２】
次に、検波回路１３の構成を示す回路図を図５に示す。
図５に示す検波回路１３においては、ＡＭＰ２により増幅された受信信号が入力される入力と出力との間にコンデンサＣ１３と第２ダイオードＤ１１とが直列接続され、コンデンサＣ１３と第２ダイオードＤ１１の接続点とアース間に第１ダイオードＤ１０が接続されている。また、第２ダイオードＤ１１のカソードとアース間に抵抗Ｒ１８とコンデンサＣ１４が接続されている。このように検波回路１３は倍電圧検波回路を構成している。
検波回路１３の動作を説明すると、入力されるＡＭＰ２により増幅された受信信号が負極性となると第２ダイオードＤ１０−コンデンサＣ１３の経路によりコンデンサＣ１３がピーク電位まで充電される。次いで、受信信号が正極性に反転するとコンデンサＣ１３−第１ダイオードＤ１１−コンデンサＣ１４の経路によりコンデンサＣ１４が充電されるが、コンデンサＣ１４にはコンデンサＣ１３の充電電位も加算されて充電されるので２倍のピーク電位まで充電される。出力からは２倍のピーク電圧とされた直流の検波信号が出力されて比較回路１５ａ〜１５ｅに供給される。
【００２３】
次に、比較回路および表示器の構成を示す回路図の一例を図６に示す。
図６に示す比較回路１５および表示器１６はオペアンプ（ＯＰ１）が比較回路を構成しており、ＯＰ１の非反転端子（+）に基準電圧Ｖｒｅｆが、反転端子（−）に検波回路１３からの検波信号が印加されている。表示器１６は抵抗Ｒ１９と発光ダイオードＬＥＤ１２の直列回路により構成されており、検波信号の電位Ｖｄｅｔが基準電圧Ｖｒｅｆを超えるとＯＰ１の出力が有意な出力であるゼロ電位になり、電源Ｖｃｃから発光ダイオードＬＥＤ１２に抵抗Ｒ１９の抵抗値できまる電流が流れ発光ダイオードＬＥＤ１２が点灯する。なお、検波信号の電位Ｖｄｅｔが基準電圧Ｖｒｅｆを超えるまでは発光ダイオードＬＥＤ１２は消灯している。
【００２４】
次に、比較回路および表示器の構成を示す他の例の回路図を図７に示す。
図７に示す比較回路１５’および表示器１６’はオペアンプ（ＯＰ２）が比較回路を構成しており、ＯＰ２の非反転端子（+）に検波回路１３からの検波信号が、反転端子（−）に基準電圧Ｖｒｅｆが印加されている。表示器１６はＯＰ２の出力に抵抗Ｒ２０を介してベースが接続され、エミッタがアースされたトランジスタＴｒ３と、トランジスタＴｒ３のコレクタに接続された発光ダイオードＬＥＤ１３と抵抗Ｒ２１の直列回路とにより構成されている。そして、検波信号の電位Ｖｄｅｔが基準電圧Ｖｒｅｆを超えるとＯＰ２の出力が有意な出力であるほぼＶｃｃ電位になり、トランジスタＴｒ３がオンすることから電源Ｖｃｃから発光ダイオードＬＥＤ１３に抵抗Ｒ２０の抵抗値できまる電流が流れ発光ダイオードＬＥＤ１３が点灯する。なお、検波信号の電位Ｖｄｅｔが基準電圧Ｖｒｅｆを超えるまでは発光ダイオードＬＥＤ１２は消灯している。
【００２５】
図１における比較回路１５ａ〜１５ｅと表示器１６ａ〜１６ｅを図６あるいは図７に示す比較回路１５（１５’）および表示器１６（１６’）とすることにより、検波回路１３からの検波信号の電位が高くなるにつれて表示器１６ｅから点灯し始めて、さらに高くなると表示器１６ｅ，１６ｄが点灯し、さらに高くなると表示器１６ｅ，１６ｄ，１６ｃが点灯していくようになる。そして、比較回路１５ａに印加されている基準電圧Ｖｒｅｆ１を検波信号の電位Ｖｄｅｔが超えると表示器１６ａまでのすべての表示器が点灯する。このように、検波信号の電位Ｖｄｅｔに応じた数の表示器１６ａ〜１６ｅが点灯し、表示器１６ａ〜１６ｅの点灯数が多くなるほど接続されるアンテナにおける受信信号レベルが大きいことになる。
【産業上の利用可能性】
【００２６】
以上の説明では、電源を必要としないアンテナとして地上デジタル放送受信用のアンテナとしたが、本発明はこれに限ることはなく八木アンテナ等の指向性を有するアンテナ全般に適用することができる。また、電源を必要とするアンテナとしてＢＳアンテナとしたが、本発明はこれに限ることはなくＣＳアンテナ等の衛星放送受信用アンテナを含む指向性を有しコンバータを備えるアンテナ全般に適用することができる。
なお、本発明にかかる信号レベル表示器は、ゲイン調整器ＧＣを調整することにより、弱電界地域から強電界地域に渡りアンテナに受信された受信信号のレベルを表示することができる。
なお、比較回路を６以上の比較回路として同数の表示器を設けるようにしてもよい。
【図面の簡単な説明】
【００２７】
【図１】本発明の実施例の信号レベル表示器の構成を示す回路図である。
【図２】本発明の実施例の信号レベル表示器において、切換表示器の構成を示す回路図である。
【図３】本発明の実施例の信号レベル表示器において、分岐回路の構成を示す回路図の一例である。
【図４】本発明の実施例の信号レベル表示器において、分岐回路の構成を示す他の例の回路図である。
【図５】本発明の実施例の信号レベル表示器において、検波回路の構成を示す回路図である。
【図６】本発明の実施例の信号レベル表示器において、比較回路および表示器の構成を示す回路図の一例である。
【図７】本発明の実施例の信号レベル表示器において、比較回路および表示器の構成を示す他の例の回路図である。
【符号の説明】
【００２８】
１  信号レベル表示器、１０  分岐回路、１１  バンドパスフィルタ、１２  電池、１３  検波回路、１４  切換表示器、１５  比較回路、１５ａ  比較回路、１５ａ〜１５ｅ  比較回路、１６  表示器、１６ａ〜１６ｅ  表示器、ＧＣ  ゲイン調整器、ＩＮ  入力端子、ＯＰ１，ＯＰ２  オペアンプ、ＯＵＴ  出力端子、ＳＷ  切換スイッチ、Ｖｒｅｆ１〜Ｖｒｅｆ５  基準電圧
【図１】
2008278285.tif 000003
【図２】
2008278285.tif 000004
【図３】
2008278285.tif 000005
【図４】
2008278285.tif 000006
【図５】
2008278285.tif 000007
【図６】
2008278285.tif 000008
【図７】
2008278285.tif 000009